(57)【要約】【課題】異なる種類の収納物を別々に収納できると共に、各収納物を収納後、安定して載置できる包装袋を提供する。【解決手段】包装袋１は、肉片Ｆ１が収納される第一収納部４と、肉片Ｆ１と異なる野菜Ｆ１が収納される第二収納部５とを有し、第一収納部４を有する袋体２と、袋体２の前面に接着され、袋体２の前面と共に第二収納部５を形成するシート体３とを備える。そして、この包装袋１は、袋体２とシート体３との下側の接着部１０が、袋体２の下辺２Ｄよりも、所定の間隔Ｄをあけて、上方に形成され、接着部１０と袋体２の下辺２Ｄとの間に、第一収納部４の容積を調整する容積調整部６が形成されている構成をとる。【選択図】図１
2020063088.tif 000002
【特許請求の範囲】
【請求項１】
第一収納物が収納される第一収納部と、前記第一収納物と異なる第二収納物が収納される第二収納部とを有する包装袋であって、
前記第一収納部を有する袋体と、
前記袋体の前面に接着され、前記袋体の前面と共に前記第二収納部を形成するシート体と、を備え、
前記袋体と前記シート体との下方の接着部が、前記袋体の下辺よりも、所定の間隔をあけて、上方に形成され、前記接着部と前記袋体の下辺との間に、前記第一収納部の容積を調整する容積調整部が形成されている、
ことを特徴とする包装袋。
【請求項２】
前記第一収納部の最大容積は、前記第二収納部の最大容積よりも大きい、
ことを特徴とする請求項１に記載の包装袋。
【請求項３】
前記シート体は、前記シート体の上辺が、前記袋体の上辺よりも下方となるように設けられることで、
前記第二収納部の開口部が、前記第一収納部の開口部よりも下方に形成されている、
ことを特徴とする請求項１又は請求項２に記載の包装袋。
【請求項４】
前記第一収納部の底部が、前記第一収納部の内側に折り畳まれている、
ことを特徴とする請求項１から請求項３のいずれか一項に記載の包装袋。
【発明の詳細な説明】
【技術分野】
【０００１】
本発明は、複数の収納部を有する包装袋に関するものである。
【背景技術】
【０００２】
従来から、カット野菜やもやしは、ビニール製の包装袋に収納されて、店頭で販売されている。通常、食料品は、一つの包装袋に対し、一種類収納されている。
【０００３】
しかし、何種類かの食料品を購入し、調理をする場合、それぞれの包装袋を個別に開封しなければならないため、手間がかかる。また、一つの包装袋に対し、肉と野菜の二種類の食料品を収納した場合、鮮度が著しく低下する問題や衛生上の問題が生じる。
【０００４】
そこで、このような問題を解消するため、包装袋の中間に仕切りフィルムを設けて、二つの収納部を設け、互いに異なる種類の食料品をそれぞれ収納できる包装袋が開示されている（例えば、特許文献１）。
【０００５】
特許文献１の包装袋は、一つの包装袋に種類の異なる収納物を、別々の収納部に収納させる。そのため、この包装袋を使用することで、一度の開封作業により、二種類の食料品を同時に取り出すことができ、調理の際に包装袋を個別に開封する手間が省ける。また、特許文献１の包装袋は、種類の異なる食料品が別々の収納部に収納されるため、衛生上の問題も生じない。
【先行技術文献】
【特許文献】
【０００６】
【特許文献１】実開平３−１１４７６６号公報
【発明の概要】
【発明が解決しようとする課題】
【０００７】
しかし、特許文献１の包装袋は、内部の中間に仕切りフィルムを設け、周囲三辺（左右辺、下辺）を同じ位置で融着させることにより、同じ収容容積の収納部を二つ備えており、この包装袋の二つの収納部の底部の面積は、ほぼ等しくなる。そのため、例えば、一方の収納部に、他方の収納部に収納する食料品よりも大きなサイズの食料品を収納した場合、包装袋の形状が崩れてしまい、包装袋を安定して載置できないおそれがある。
【０００８】
そこで、本発明は、異なる種類の収納物を別々に収納できると共に、各収納物を収納後、安定して載置できる包装袋を提供することを目的とする。
【課題を解決するための手段】
【０００９】
本発明に係る包装袋は、第一収納物が収納される第一収納部と、第一収納物と異なる第二収納物が収納される第二収納部とを有する包装袋であって、第一収納部を有する袋体と、袋体の前面に接着され、袋体の前面と共に第二収納部を形成するシート体とを備え、袋体とシート体との下方の接着部が、袋体の下辺よりも、所定の間隔をあけて、上方に形成され、接着部と袋体の下辺との間に、第一収納部の容積を調整する容積調整部が形成されていることを特徴とする。
【００１０】
本発明に係る包装袋は、第一収納部の最大容積は、第二収納部の最大容積よりも大きいことを特徴とする。
【００１１】
本発明に係る包装袋は、シート体がシート体の上辺が袋体の上辺よりも下方となるように設けられることで、第二収納部の開口部が、第一収納部の開口部よりも下方に形成されていることを特徴とする。
【００１２】
本発明に係る包装袋は、第一収納部の底部が、第一収納部の内側に折り畳まれていることを特徴とする。
【発明の効果】
【００１３】
本発明に係る包装袋は、シート体の接着部と袋体の下辺との間に、第一収納部の容積を調整する容積調整部が形成されている。この容積調整部は、第一収納部に収納される第一収納物の大きさ、量に応じて、第一収納部の底部を構成する。例えば、第一収容部の底部の面積に対して、収納物の面積が大きい場合、容積調整部が底部となるように変位する。載置面と接する底部の面積が大きくなることで、包装袋を安定して載置できる。
【００１４】
本発明に係る包装袋は、第一収納部の最大容積が、第二収納部の最大容積よりも大きい。異なる収納物のうち、初めに収納物のサイズや密度が大きいものを第一収納部に収納し、次にもう一方の収納物を第二収納部に収納することで、包装袋を安定した形状で維持することができる。
【００１５】
本発明に係る包装袋は、第二収納部の開口部が第一収納部の開口部よりも下方に形成されている。そうすると、第一収納部の開口部と第二収納部の開口部が同じ高さに形成された包装袋よりも、第一収納部の開口部及び第二収納部の開口部を開きやすくなる。そのため、収納物を収容する際の手間が省け、収納物を目的の収納部に効率よく収納できる。
【００１６】
本発明に係る包装袋は、第一収納部の底部が、第一収納部の内側に折り畳まれて形成されていることを特徴とする。そうすると、第一収納部の底部が第一収納部の外側に折り他畳まれた包装袋と比較し、包装袋の上下方向の長さを短くすることができる。包装袋の上下方向の長さが短くすることができると、例えば、サイズの小さい箱に梱包することができる。
【図面の簡単な説明】
【００１７】
【図１】本発明の実施形態に係る包装袋の正面図である。
【図２】本発明の実施形態に係る包装袋の断面図（図１のＡ−Ａ断面図）である。
【図３】本発明の実施形態に係る包装袋の作製過程を説明するための図である。
【図４】本発明の実施形態に係る包装袋に収納物を収納した状態を示す側面図である。
【図５】本発明の実施形態に係る包装袋の容積調整部を説明するための図である。
【発明を実施するための形態】
【００１８】
本実施形態に係る包装袋を、図１から図５を参照し説明する。
なお、図１を基準として、包装袋の幅方向を左右方向Ｘ（左方及び右方）、包装袋の高さ方向を上下方向Ｙ（上方及び下方）とし、図２を基準として、包装袋の厚み方向を前後方向Ｚ（前方及び後方）とする。
【００１９】
本実施形態に係る包装袋は、二種類の収納物を別々の収容部に収容するものである。本実施形態では、二種類の食料品、例えば、肉と野菜を別々の収納部に収納する包装袋を例として、説明する。
【００２０】
本実施形態に係る包装袋１は、図１に示すように、袋体２と、この袋体２の前面に設けられたシート体３とを備えている。このシート体３は、袋体２の前面の左側、右側、下側で熱融着されている。シート体３が袋体２と下側で融着（接着）されている部分を接着部１０とする。袋体２、及びシート体３は、プラスチック製であり、袋体２とシート体３には、例えば、ポリエチレン、ポリプロピレン、ポリエステル、ナイロンを使用することができる。
【００２１】
なお、以下、袋体２の上辺を上辺２Ａ、袋体２の左辺を左辺２Ｂ、袋体２の右辺を右辺２Ｃ、袋体２の下辺を下辺２Ｄ、シート体３の上辺を上辺３Ａ、シート体３の左辺を左辺３Ｂ、シート体３の右辺を右辺３Ｃ、シート体３の下辺を下辺３Ｄと表記する。
【００２２】
袋体２は、図２に示すように、第一収納部４を備えている。第一収納部４の底部４Ｅは、上方に折りたたまれ、山折り状に形成されている。
【００２３】
第二収納部５は、袋体２の前面とシート体３との間に形成されている。このシート体３には、シート体３の上下方向Ｙの長さＬ２が、袋体２の上下方向Ｙの長さＬ１よりも短いものを使用する（図３）。シート体３は、シート体３の下辺３Ｄが袋体２の下辺２Ｄよりも上方に設けられている。そのため、接着部１０は、袋体２の下辺２Ｄよりも上方に形成される。以下、接着部１０と袋体２の下辺２Ｄの距離を間隔Ｄとする。
【００２４】
また、シート体３の上辺３Ａは、袋体２の上辺２Ａよりも下方に設けられ、第二収納部５の開口部５Ａは、第一収納部４の開口部４Ａよりも下方に形成されている。
【００２５】
接着部１０が袋体２の下辺２Ｄよりも、間隔Ｄだけ上方に形成されることで、袋体２の前面の下端部には、シート体３が融着されていない領域が存在する。この領域が、第一収納部４の容積調整部６となる。この容積調整部６は、第一収納部４の容積を調整するための矩形状の領域である。間隔Ｄの長さを変更することで、容積調整部６の面積、及び包装袋１の第一収納部４の容積を調整できる。
【００２６】
袋体２の長さＬ１が２０ｃｍから３０ｃｍの場合、間隔Ｄは、５ｍｍから３０ｍｍであることが好ましい。容積調整部６は、第一収納部４の底部となるため、間隔Ｄが３０ｍｍよりも大きい場合、包装袋１のバランスが悪くなり、包装袋１が確実に起立しないおそれがある。一方、間隔Ｄを５ｍｍよりも小さい場合、容積調整部６が底部となる面積が小さくなるため、第一収納部４の容積に大きな変化が生じない。
【００２７】
次に、本実施形態に係る包装袋１の製造方法について説明する。
【００２８】
袋体２には、上下方向Ｙの長さが３０ｃｍ、左右方向Ｘの長さが２０ｃｍのポリエチレン製のものを使用する。シート体３には、上下方向Ｙの長さが２５ｃｍ、左右方向Ｘの長さが２０ｃｍのポリエチレン製のものを使用する。
【００２９】
包装袋１は、図３に示すように、袋体２の前面の所定の位置に、シート体３を載せた後、シート体３の左辺３Ｂ、シート体３の右辺３Ｃ、及びシート体３の下辺をそれぞれ袋体２に対し、熱融着させることで作製される。
シート体３は、シート体３の下辺３Ｄが袋体２の下辺２Ｄよりも上方となるように熱融着され、かつ、シート体３の上辺３Ａが袋体２の上辺２Ａよりも下方となるように熱融着される。そのため、包装袋１は、第一収容部２の最大容積が、第二収納部５の最大容積よりも大きく形成されている。
【００３０】
シート体３は、シート体３の下辺３Ｄが袋体２の下辺２Ｄよりも上方となるように、間隔Ｄだけずらして熱融着されることで、袋体２の前面の下端部は、シート体３が設けられていない容積調整部６となる。間隔Ｄを調節することで、容積調整部６の大きさが調整される。
【００３１】
次に、本実施形態に係る包装袋１の作用効果について、図４及び図５を参照して、説明する。なお、包装袋１の収納物は、第一収納物が肉片Ｆ１、第二収納物が野菜Ｆ２とする。
【００３２】
図４に示すように、包装袋１の第一収納部４には、少量の肉片Ｆ１、第二収納部５には、野菜Ｆ２が収容される。このように、本実施形態に係る包装袋１には、種類の異なる食材を別々の収納部に収納できる。そうすると、鮮度が低下する問題や、衛生上の問題も生じにくくなる。収納する肉片Ｆ１の量が少ない場合、容積調整部６は、第一収納部４の前面を構成する。
【００３３】
収納する肉片Ｆ１の量が多い場合、図５に示すように、容積調整部６が、前後方向Ｚの前方に変位し、第一収納部４の底部４Ｅの一部を構成する。容積調整部６が変位すると、底部４Ｅの面積が大きくなる。そうすると、載置面と接する底部４Ｅの面積が大きくなり、収納する肉片Ｆ１の量が多い場合でも、包装袋１は、安定して載置することができる。
【００３４】
また、本実施形態に係る包装袋１は、第一収容部４の最大容積が、第二収納部５の最大容積よりも大きく形成されているため、収容する食料品の量、体積に応じて、使い分けすることができる。
【００３５】
第一収納部の開口部と第二収納部の開口部が上下方向Ｙにおいて、同じ高さに形成されていると、どちらか一方の収納部を開く場合、手間が生じる。
一方、本実施形態に係る包装袋１において、第二収納部５の開口部５Ａは、第一収納部４の開口部４Ａよりも下方に形成されているため、どちらか一方の収納部を開く場合でも、手間なく開くことができる。
【００３６】
さらに、本実施形態に係る包装袋１は、第一収納部４の底部４Ｅが、折り畳まれて形成されている。底部４Ｅを折り畳んで形成することで、上下方向Ｙの長さを短くすることができる。そうすると、小さい箱によって、包装袋１を梱包できる。
【００３７】
以上、本実施形態について説明したが、これ以外にも、本発明の主旨を逸脱しない限り、上記実施の形態で挙げた構成を取捨選択したり、他の構成に適宜変更することが可能である。例えば、第二収納部５は、シート体３を融着させることで形成したが、袋状のものを袋体２に融着させて形成することもできる。また、収納物は、食料品以外に文房具や印刷物、収納部に収納できる物であればよい。
【符号の説明】
【００３８】
１      包装袋
２      袋体
２Ａ    袋体の上辺
２Ｂ    袋体の左辺
２Ｃ    袋体の右辺
２Ｄ    袋体の下辺
３      シート体
３Ａ    シート体の上辺
３Ｂ    シート体の左辺
３Ｃ    シート体の右辺
３Ｄ    シート体の下辺
４      第一収納部
４Ａ    開口部（第一収納部の開口部）
４Ｅ    底部（第一収納部の底部）
５      第二収納部
５Ａ    開口部（第二収納部の開口部）
６      容積調整部
１０    接着部
Ｄ      間隔
Ｆ１    肉片（第一収納物）
Ｆ２    野菜（第二収納物）
Ｌ１，Ｌ２  長さ
Ｘ      左右方向
Ｙ      上下方向
Ｚ      前後方向
【図１】
2020063088.tif 000003
【図２】
2020063088.tif 000004
【図３】
2020063088.tif 000005
【図４】
2020063088.tif 000006
【図５】
2020063088.tif 000007